(57)【特許請求の範囲】
【請求項１】
染毛、脱色又は脱染に用いられる毛髪化粧料組成物を構成する複数の流体状の剤を収容するための複数の収容部と、
前記複数の収容部に収容された前記剤を合流させて吐出するための吐出具と、
を備える吐出器であって、
前記複数の収容部には、前記毛髪化粧料組成物の第１剤を収容するための第１収容部と、前記毛髪化粧料組成物の第２剤を収容するための第２収容部と、が含まれ、
前記吐出具には、前記複数の収容部に収容された前記剤を、２つの外層及びそれらの間に挟まれた１つの内層からなる３層の積層状態で合流させるための流路であって、１つの流路を２つの仕切板によって３層に分割した形状の３つの分割流路が形成され、
前記第１剤が、前記内層に対応する前記分割流路から流出され、前記外層に対応する前記分割流路からは流出されないように、前記収容部から前記分割流路へ前記剤が供給され、
前記分割流路は、流路出口が扁平形状であり、隣り合う前記分割流路と扁平面に沿って区分されている
ことを特徴とする吐出器。
【請求項２】
請求項１に記載の吐出器であって、
前記分割流路は、合流後の流路と同じ形状の流路を前記仕切板によって分割した形状である
ことを特徴とする吐出器。
【発明の詳細な説明】
【技術分野】
【０００１】
本発明は吐出器に関する。
【背景技術】
【０００２】
従来、染毛、脱色又は脱染に用いられる毛髪化粧料組成物を構成する流体状の第１剤及び第２剤をそれぞれの収容部に収容し、これらを合流させて吐出する二液吐出器が知られている。例えば、並設した一対のエアゾール缶に吐出具を嵌着し、各エアゾール缶に収容された液を吐出具から吐出するように構成したものが提案されている（特許文献１参照）。
【０００３】
具体的には、特許文献１に記載の二液吐出器は、２本のエアゾール缶と、これらエアゾール缶上部を連結する吐出具と、を備えている。吐出具は、各エアゾール缶の各ステムから連通するノズルを備えている。ノズルの内部は、左右方向中間部分に縦設された仕切板により左右両部に区分されている。そして、レバーを利用して吐出具の押下ヘッドを押し下げて各ステムを押し下げることにより、各エアゾール缶内の液がノズルを介して吐出される。その際、ノズル内は仕切板により左右両部に区分されているため、各ステムから吐出された液が左右二層構造でノズル先端から吐出される。
【先行技術文献】
【特許文献】
【０００４】
【特許文献１】特開平１１−３３４７６７号公報
【発明の概要】
【発明が解決しようとする課題】
【０００５】
ところで、毛髪化粧料組成物の第１剤と第２剤とは、性質が異なる。しかしながら、このような性質の違いに配慮して、第１剤が外面に露出しにくい状態で吐出することについては、従来検討されていなかった。
【０００６】
本発明は、こうした問題にかんがみてなされたものであり、毛髪化粧料組成物を第１剤が外面に露出しにくい状態で吐出するための技術を提供することを目的としている。
【課題を解決するための手段】
【０００７】
本発明の吐出器は、染毛、脱色又は脱染に用いられる毛髪化粧料組成物を構成する複数の流体状の剤を収容するための複数の収容部と、複数の収容部に収容された剤を合流させて吐出するための吐出具と、を備える。複数の収容部には、毛髪化粧料組成物の第１剤を収容するための第１収容部と、毛髪化粧料組成物の第２剤を収容するための第２収容部と、が含まれる。また、吐出具には、複数の収容部に収容された剤を、２つの外層及びそれらの間に挟まれた１つ以上の内層からなる３層以上の積層状態で合流させるための複数の分割流路が形成されている。そして、第１剤が、内層に対応する分割流路から流出され、外層に対応する分割流路からは流出されないように、収容部から分割流路へ剤が供給される。
【０００８】
このような構成によれば、毛髪化粧料組成物を構成する複数の剤が、第１剤が外層とならない積層状態で合流する。例えば、複数の剤が、第１剤及び第２剤の２種類である場合、第１剤と第２剤とが、第２剤の間に第１剤が挟まれた積層状態で合流する。このため、吐出具から吐出される毛髪化粧料組成物は、第１剤が外面に露出しにくい状態で吐出される。したがって、毛髪化粧料組成物を第１剤が外面に露出しにくい状態で吐出することができる。
【０００９】
ところで、分割流路は、流路出口が扁平形状であり、隣り合う分割流路と扁平面に沿って区分されていてもよい。このような構成によれば、積層状態における第１剤の露出量を少なくすることができる。したがって、第１剤を外面に露出しにくくする効果を高くすることができる。
【００１０】
また、吐出具には、１つの流路をＮの仕切板（Ｎは２以上の整数）によってＮ＋１の層に分割した形状のＮ＋１の分割流路が形成されてもよい。このような構成であれば、複数の分割流路を、簡単な構造で形成することができる。
【００１１】
特に、Ｎが２の場合、吐出具には、１つの流路を２つの仕切板によって３層に分割した形状の３つの分割流路が形成される。この場合、複数の収容部に収容された剤が、２つの外層及びそれらの間に挟まれた１つの内層からなる３層の積層状態で合流する。具体的には、第１剤が内層に対応する分割流路から流出される。例えば、複数の剤が、第１剤及び第２剤の２種類である場合、第１剤が内層に対応する分割流路から流出され、第２剤が外層に対応する分割流路から流出される。このため、第１剤が最も露出しにくい積層状態で毛髪化粧料組成物を吐出することができる。すなわち、例えば２種類の剤（第１剤及び第２剤）を積層状態で合流させる場合、３層の積層状態以外にも、５層や７層などの積層状態も可能である。しかしながら、このようにすると、第２剤が内層にも用いられる分、３層の積層状態と比較して、外層となる第２剤の量が少なくなる。このため、第１剤を露出しにくくするという面では、３層の積層状態で合流させることが好ましい。
【００１２】
また、分割流路は、合流後の流路と同じ形状の流路を仕切板によって分割した形状であってもよい。このような構成によれば、分割流路から流出した剤の形状が合流後の流路においても維持されやすくなり、積層状態が崩れにくくなる。したがって、第１剤の露出量を少なくすることができる。
【図面の簡単な説明】
【００１３】
【図１】第１実施形態の二液吐出器の正面視における要部断面図である。
【図２】第１実施形態の二液吐出器の側面視における要部断面図である。
【図３】第１実施形態の吐出ヘッドの組立て前の平面図である。
【図４】第１実施形態の吐出ヘッドの組立て前の側面視における断面図である。
【図５】第１実施形態の吐出ヘッドの底壁部分の正面視における半断面図である。
【図６】第１実施形態の吐出ヘッドのケーシングの要部正面図である。
【図７】第１実施形態の吐出ヘッドのノズル部分の要部正面図である。
【図８】液の吐出形態を示す斜視図である。
【図９】第２実施形態の二液吐出器の正面視における要部断面図である。
【図１０】第２実施形態の二液吐出器の側面視における要部断面図である。
【図１１】第２実施形態の吐出ヘッド内の液の流れを示す図である。
【図１２】第３実施形態の二液吐出器の正面視における要部断面図である。
【図１３】第３実施形態の二液吐出器の側面視における要部断面図である。
【図１４】第３実施形態の吐出ヘッド内の液の流れを示す図である。
【図１５】図１４のＸ−Ｘ断面図である。
【図１６】第１変形例の吐出ヘッドの平面視における要部断面図である。
【図１７】（Ａ）は実施形態の吐出ヘッドの模式的な正面図、（Ｂ）は第２変形例の吐出ヘッドの模式的な正面図、（Ｃ）は第３変形例の吐出ヘッドの模式的な正面図である。
【図１８】（Ａ）は第４変形例の吐出ヘッドの模式的な正面図、（Ｂ）はそのＹ１−Ｙ１断面図、（Ｃ）はそのＹ２−Ｙ２断面図である。
【図１９】（Ａ）は第５変形例の吐出ヘッドの図１８（Ｂ）に対応する断面図、（Ｂ）は第５変形例の吐出ヘッドの図１８（Ｃ）に対応する断面図である。
【図２０】（Ａ）は合流部材の斜視図、（Ｂ）はそのＷ矢視図、（Ｃ）はそのＹ３−Ｙ３断面図、（Ｄ）はそのＹ４−Ｙ４断面図である。
【図２１】（Ａ）は一体型の金型の平面図、（Ｂ）は別体型の金型の平面図である。
【図２２】（Ａ）は第６変形例の吐出ヘッドの斜視図、（Ｂ）はその平面視断面図である。
【図２３】（Ａ）は第６変形例の吐出ヘッドのＹ５−Ｙ５断面図、（Ｂ）はそのＹ６−Ｙ６断面図、（Ｃ）はそのＹ７−Ｙ７断面図である。
【図２４】（Ａ）は第７変形例の吐出ヘッドの蓋が閉じた状態での側面視断面図、（Ｂ）はその蓋が開いた状態での側面視断面図である。
【図２５】（Ａ）は第８変形例の吐出ヘッドの斜視図、（Ｂ）はその平面視断面図である。
【図２６】（Ａ）は第８変形例の吐出ヘッドのＹ８−Ｙ８断面図、（Ｂ）はそのＹ９−Ｙ９断面図、（Ｃ）はそのＹ１０−Ｙ１０断面図、（Ｄ）はそのＹ１１−Ｙ１１断面図である。
【発明を実施するための形態】
【００１４】
以下、本発明が適用された実施形態について、図面を用いて説明する。
［第１実施形態］
図１〜図８に示すように、第１実施形態の二液吐出器１は、染毛剤の第１液（第１剤）及び第２液（第２剤）が収容された一対の（２つの）吐出用容器Ａと、吐出用容器Ａに収容された第１液及び第２液を合流させて吐出するための吐出具Ｂと、を備えている。第１液は、アルカリ剤（例えばアンモニアやモノエタノールアミン）が配合されており、ｐＨが高い液体である。また、第１液には、染毛のための染料が配合されている。一方、第２液は、酸化剤（例えば過酸化水素）が配合されており、ｐＨが低い液体である。一般に、毛髪化粧料組成物の第１剤は、第２剤と比較して、皮膚への刺激が強く、また、刺激臭が強い。なお、第１剤の刺激臭の要因としてはアンモニアが挙げられるが、これに限ったものではなく、例えば第１剤がアンモニウム塩を含有する場合も同様である。
【００１５】
吐出用容器Ａは、胴部１０の上面から上方付勢状態で押し込み可能にステム１１を突出した形態のもので、この例では一対の第１吐出用容器Ａ１及び第２吐出用容器Ａ２として、それぞれエアゾール缶を採用している。具体的には、第１吐出用容器Ａ１及び第２吐出用容器Ａ２は、第１胴部１０ａ及び第２胴部１０ｂの上面から上方付勢状態で押し込み可能に第１ステム１１ａ及び第２ステム１１ｂをそれぞれ突出している。各吐出用容器Ａ１，Ａ２には、ステム１１ａ，１１ｂを押し下げることで内蔵吐出弁が開弁し、収納ガス圧により液がステム１１ａ，１１ｂを介して吐出し、また、ステム１１ａ，１１ｂの押し下げを解除すると、ステム１１ａ，１１ｂが上方付勢により上昇し、内蔵吐出弁が閉じて液の吐出が停止する公知機構が用いられている。
【００１６】
一方、吐出具Ｂは、容器固定枠Ｂ１と、容器固定筒Ｂ２と、吐出ヘッドＢ３と、押圧操作部Ｂ４と、を備えている。
容器固定枠Ｂ１は、並設した第１吐出用容器Ａ１及び第２吐出用容器Ａ２の上端外周に嵌合させて両者を固定する役割を果たす。
【００１７】
容器固定筒Ｂ２は、容器固定枠Ｂ１を介して並設した第１吐出用容器Ａ１及び第２吐出用容器Ａ２の外周に下部を嵌合させる外周壁３０を備え、外周壁３０の上端から内方へ延設したフランジ状頂壁３１を介して内周壁３２を垂設しており、並設した一対の第１吐出用容器Ａ１及び第２吐出用容器Ａ２に掛け渡し嵌合させて緊縛している。また、前部及び後部にそれぞれ、内周壁３２、外周壁３０及びフランジ状頂壁３１を下方へ凹ませて形成した形態の、上面及び前後面を開口した前部凹部３３及び後部凹部３４を凹設している。
【００１８】
吐出ヘッドＢ３は、図１〜図７に示すように、横長楕円筒状のケーシング４０の前面からノズル４１を突設し、ケーシング４０の下面左右からは一対の第１ステム嵌着筒４２及び第２ステム嵌着筒４３をそれぞれ垂設しており、内部に液誘導機構を備えている。
【００１９】
具体的には、図３〜図５に示すように、吐出ヘッドＢ３は、周壁４０ａと頂壁４０ｂとを備えたケーシング本体に一対の連結ヒンジ４４を介して開いた底壁４０ｃを延設した状態で形成され、組み付け時に超音波接合により底壁４０ｃをケーシング本体に固定するように構成されている。
【００２０】
液誘導機構は、吐出用容器Ａに収容された第１液及び第２液を、図８に示すように、第１液層（内層）Ｌ１と、第１液層Ｌ１の上面及び下面を被覆する同横幅の２つの第２液層（外層）Ｌ２と、からなる３層の積層状態（断面パターン）で合流させてノズル４１から吐出するための機構を備えている。
【００２１】
液誘導機構の具体的構造は、次のとおりである。すなわち、ケーシング４０内には、中央部に区画壁４５が設けられ、ケーシング４０内が第１液用分割室４６と第２液用分割室４７とに左右方向において２つに分割されている。また、ノズル４１内基端部には、上下方向において間隔を空けて互いに平行に２つの仕切板４８ａ，４８ｂが設けられ、ノズル４１内基端部の流路が上下方向において３つの流路に分割されている。以下の説明では、これら３つの分割流路を、上から順に「上部分割流路」、「中部分割流路」、「下部分割流路」と称する。そして、第１液用分割室４６から中部分割流路（ノズル４１内上下方向中央の分割区画）に連通する第１透孔４９と、第２液用分割室４７から上部分割流路及び下部分割流路（ノズル４１内上方及び下方の分割区画）にそれぞれ連通する第２透孔５０ａ及び第３透孔５０ｂと、が穿設されている。なお、区画壁４５はケーシング本体と一体に形成されたもので、下端部が底壁４０ｃ所定位置に凹設した嵌合凹部５１に嵌合する。
【００２２】
押圧操作部Ｂ４は、装着枠部８０と、押圧板８１と、を備えている。装着枠部８０は、容器固定筒Ｂ２の内周壁３２内面に嵌合させている。押圧板８１は、装着枠部８０の前縁にヒンジ８２を介して前縁部を連結している。押圧板８１は、後部上面を押圧部として構成しており、下面に突設した押圧突起８３をケーシング４０上面に当接しており、ヒンジ８２を中心に押圧部を押し下げ回動させると、吐出ヘッドＢ３が押し下げられるように構成している。
【００２３】
上記のように構成した二液吐出器１を使用する場合には、押圧部を押圧することで、押圧板８１がヒンジ８２を中心に回動して吐出ヘッドＢ３を押し下げ、第１吐出用容器Ａ１及び第２吐出用容器Ａ２の第１ステム１１ａ及び第２ステム１１ｂがそれぞれ押し下げられる。それにより、第１吐出用容器Ａ１内から第１ステム１１ａを介して吐出された第１液が、第１液用分割室４６から第１透孔４９を介して仕切板４８ａ，４８ｂの間に形成された中部分割流路（上下方向中央の分割区画）に吐出される。一方、第２吐出用容器Ａ２内から第２ステム１１ｂを介して吐出された第２液が、第２液用分割室４７から第２透孔５０ａ及び第３透孔５０ｂを介して仕切板４８ａの上方に形成された上部分割流路（上方の分割区画）及び仕切板４８ｂの下方に形成された下部分割流路（下方の分割区画）に吐出される。その結果、図８に示すように、ノズル４１の先端から、第１液層Ｌ１と、第１液層Ｌ１の上面及び下面を被覆する同横幅の第２液層Ｌ２で構成されている３層の断面パターンを備えた吐出形態で吐出される。
【００２４】
以上説明したように、第１実施形態によれば、各吐出用容器Ａ１，Ａ２に収容されている第１液及び第２液が吐出具Ｂから吐出される際に、第２液の間に第１液が挟まれた３層の積層状態で合流し、第１液層Ｌ１が２つの第２液層Ｌ２によって上下から被覆される。このため、吐出具Ｂからの吐出液は、第１液が外面に露出しにくい状態で吐出される。したがって、染毛剤を第１剤が外面に露出しにくい状態で吐出することができる。
【００２５】
その結果、例えば、皮膚（頭皮）への刺激が強い第１液が直接皮膚に接触しにくくなるため、皮膚への刺激を抑制することができる。また例えば、刺激臭の強い第１液が露出しにくくなるため、吐出液の刺激臭を抑えることができる。また例えば、染料の含まれた第１液が露出しにくくなるため、地肌汚れなどについても生じにくくすることができる。なお、これらの効果は、第１剤が外面に露出しにくい状態で染毛剤を吐出することによる効果の一例であるが、これ以外の効果であってもよい。
【００２６】
また、本実施形態では、ノズル４１先端の流路（吐出口が開口された流路）の流路断面が、上下方向（縦方向）の寸法が左右方向（横方向）の寸法に比べて短い扁平形状であり、このような扁平形状を更に上下方向において分割することにより３つの分割流路が形成されている。このため、各分割流路は、上下方向の寸法が左右方向の寸法に比べて極めて短い扁平形状であり、隣り合う分割流路と扁平面（上下面）に沿って区分されている。したがって、積層状態における第１液の露出量（具体的には積層側面における露出量）を少なくすることができる。しかも、第１剤と第２剤とが扁平面において均等に接触しやすくなるため、混合の偏りを生じにくくすることができ、これにより染毛ムラを抑えることができる。
【００２７】
また、分割流路は、１つの流路を２つの仕切板４８ａ，４８ｂによって３層に分割した形状のものであるため、簡単な構造で実現することができる。特に、第１液が積層状態において最も内側に配置されるため、第１液が最も露出しにくい積層状態で吐出液を吐出することができる。
【００２８】
また、分割流路は、合流後の流路と同じ形状の流路を仕切板４８ａ，４８ｂによって分割した形状のものであるため、分割流路から流出した第１液及び第２液の形状が合流後の流路においても維持されやすくなり、積層状態が崩れにくくなる。したがって、第１液を露出しにくくする効果を高くすることができる。
【００２９】
なお、第１実施形態では、二液吐出器１が吐出器の一例に相当する。また、第１吐出用容器Ａ１及び第２吐出用容器Ａ２が収容部の一例に相当し、特に、第１吐出用容器Ａ１が第１収容部の一例に相当し、第２吐出用容器Ａ２が第２収容部の一例に相当する。また、吐出具Ｂが吐出具の一例に相当し、仕切板４８ａ，４８ｂが仕切板の一例に相当する。
【００３０】
［第２実施形態］
図９〜図１１は第２実施形態を示すものであり、吐出ヘッドＢ３以外は基本的に第１実施形態（図１等）と同様の構成であるため、吐出ヘッドＢ３以外は同符号を付して説明を省略する。また、吐出ヘッドＢ３も、第１吐出用容器Ａ１の第１ステム１１ａに嵌合させた第１ステム嵌着筒４２と、第２吐出用容器Ａ２の第２ステム１１ｂに嵌合させた第２ステム嵌着筒４３と、をケーシング４０から垂設するとともに、ケーシング４０前面にノズル４１を突設した点に関しては図１の例と同様であり、内部の液誘導機構が相違する。なお、以下に示す第３実施形態もこの点に関しては同様であるため、以下ではこのような記載を省略する。
【００３１】
本実施形態における液誘導機構は、ケーシング４０内中央部を前後に縦断する区画壁４５ａを設けている。区画壁４５ａは、下部縦壁５２ａの上端から延設した第１横壁５３ａの他端縁から中央部縦壁５２ｂを立設し、更に中央部縦壁５２ｂの上端から延設した第２横壁５３ｂの他端縁から上部縦壁５２ｃを立設した断面構造をなし、第１液用分割室４６と第２液用分割室４７とに左右方向において２つに分割している。また、第１横壁５３ａ及び第２横壁５３ｂの間の中央空間の先端を、周壁４０ａに設けたノズル４１基端開口位置の透孔を介して、中部分割流路（ノズル４１基端の上下方向中央部）に連通し、第１横壁５３ａの下方空間の先端を、同様に下部分割流路（ノズル４１基端下部）に連通し、第２横壁５３ｂの上方空間の先端を、同様に上部分割流路（ノズル４１基端上部）に連通している。
【００３２】
このため、第１吐出用容器Ａ１内から吐出された第１液は、第１液用分割室４６から第１横壁５３ａ及び第２横壁５３ｂの間の中央空間を介して中部分割流路（ノズル４１の基端部の上下方向中央）に吐出される。一方、第２吐出用容器Ａ２内から吐出された第２液は、第２液用分割室４７から第１横壁５３ａの下方空間を介して下部分割流路（ノズル４１の基端部下方）に吐出されるとともに、第２横壁５３ｂの上方空間を介して上部分割流路（ノズル４１の基端部上方）に吐出される。その結果、第１実施形態と同様に、ノズル４１の先端から、第１液層Ｌ１と、第１液層Ｌ１の上面及び下面を被覆する同横幅の第２液層Ｌ２で構成されている３層の断面パターンを備えた吐出形態で吐出される。
【００３３】
［第３実施形態］
図１２〜図１５は第３実施形態を示す。本実施形態における液誘導機構は、ノズル４１後方のケーシング４０内前端部に上下方向中央の第１液供給室５５と下方及び上方の第２液供給室５６ａ，５６ｂとを、区画壁５７及び底壁４０ｃにより画成している。第１液供給室５５及び第２液供給室５６ａ，５６ｂはそれぞれ扁平な直方体形状をなしている。また、区画壁５７の右側後端部から後方へ、周壁４０ａに至る区画壁４５ｂを設けて、各供給室以外のケーシング４０内を右側の第１液用分割室４６と、左側の第２液用分割室４７と、に分割している。
【００３４】
第１液供給室５５の右側部は開口しており、また、第２液供給室５６ａ，５６ｂ後部には連通孔を穿設しており、開口を介して第１液用分割室４６と第１液供給室５５とを連通させるとともに、連通孔を介して第２液用分割室４７と第２液供給室５６ａ，５６ｂとを連通させている。また、各第１液供給室５５及び第２液供給室５６ａ，５６ｂの先端を、周壁４０ａに設けたノズル４１基端開口位置の透孔を介して、中部分割流路（ノズル４１基端の上下方向中央部）、下部分割流路（ノズル４１基端の下部）及び上部分割流路（ノズル４１基端の上部）にそれぞれ連通している。
【００３５】
このため、第１吐出用容器Ａ１内から吐出された第１液は、第１液用分割室４６から第１液供給室５５を介して中部分割流路（ノズル４１の基端部の上下方向中央）に吐出される。一方、第２吐出用容器Ａ２内から吐出された第２液は、第２液用分割室４７から第２液供給室５６ａ，５６ｂを介して下部分割流路（ノズル４１の基端部下方）及び上部分割流路（ノズル４１の基端部上方）に吐出される。その結果、第１実施形態と同様に、ノズル４１の先端から、第１液層Ｌ１と、第１液層Ｌ１の上面及び下面を被覆する同横幅の第２液層Ｌ２で構成されている３層の断面パターンを備えた吐出形態で吐出される。
【００３６】
［他の実施形態］
以上、本発明の実施形態について説明したが、本発明は、上記実施形態に限定されることなく、種々の形態を採り得ることは言うまでもない。
【００３７】
（１）上記第１実施形態で例示した第１透孔４９、第２透孔５０ａ及び第３透孔５０ｂは、例えば図１６に示す第１変形例のように、流路の中心に近い側の壁（面）が斜めに広がった形状であってもよい（矢印Ｃ）。このようにすれば、透孔を通過する剤が横方向に広がりやすくなるという効果が得られる。また、ノズル４１内の基端部に形成される角部に丸みを持たせれば（矢印Ｒ）、角部に剤が残存しにくい（洗い残しが生じにくい）という効果が得られる。なお、図１６では、第２透孔５０ａを例示しているが、第３透孔５０ｂも同様である。一方、第１透孔４９は、左右対称の形状となるものの、基本的には同様である。
【００３８】
（２）上記第１実施形態で例示した吐出ヘッドＢ３では、図１７（Ａ）に示すように、第１透孔４９、第２透孔５０ａ及び第３透孔５０ｂ（本図ではこれらを黒塗りで示す。）が、ノズル４１内の左右両端まで開口しているが、これに限定されるものではない。例えば、図１７（Ｂ）に示す第２変形例の吐出ヘッドＢ３のように、第１透孔４９、第２透孔５０ａ及び第３透孔５０ｂを、中央に寄せて配置してもよい。このようにすれば、左右方向における流量のムラを生じにくくすることができる。また、例えば図１７（Ｃ）に示す第３変形例の吐出ヘッドＢ３のように、ノズル４１の上下方向の寸法を大きくし、各分割流路の上下方向の幅を広げてもよい。このようにすれば、吐出ヘッドＢ３の製造段階において各分割流路を形成するために用いられる成型用の金型に適度の厚みを持たせることができる。加えて、使用後にノズル４１内に残った液を洗いやすくすることができる。
【００３９】
（３）また、例えば図１８（Ａ）〜（Ｃ）に示す第４変形例の吐出ヘッドＢ３のように、ノズル４１内基端部の流路がケーシング４０の内部まで食い込むように延長された構造にしてもよい。具体的には、ケーシング４０内を、ケーシング４０内前端中央部のノズル延長室５９と、残りの部分を左右に二分した右側の第１液用分割室４６及び左側の第２液用分割室４７と、に分割する区画壁６０が、ケーシング４０内に設けられている。ノズル延長室５９は、ノズル４１内基端部と連通しており、第１実施形態の仕切板４８ａ，４８ｂと同様、２つの仕切板６１ａ，６１ｂが、ノズル延長室５９からノズル４１内基端部まで連続して設けられている。つまり、ノズル延長室５９からノズル４１内基端部までの流路が、仕切板６１ａ，６１ｂにより上下方向において３つの分割流路（上部分割流路、中部分割流路及び下部分割流路）に分割されている。そして、区画壁６０には、第１液用分割室４６と中部分割流路（仕切板６１ａ，６１ｂの間の分割区画）とを連通する透孔６２と、第２液用分割室４７と上部分割流路（仕切板６１ａの上方の分割区画）及び下部分割流路（仕切板６１ｂの下方の分割区画）とをそれぞれ連通する２つの透孔６３ａ，６３ｂと、が穿設されている。このような構成によっても、上記実施形態と同様、ノズル４１の先端から、第１液層Ｌ１と、第１液層Ｌ１の上面及び下面を被覆する同横幅の第２液層Ｌ２で構成されている３層の断面パターンを備えた吐出形態で吐出される。
【００４０】
（４）また、例えば図１９（Ａ），（Ｂ）に示す第５変形例の吐出ヘッドＢ３のように、第１液用分割室４６とノズル延長室５９とを区画する壁部６４ａと、第２液用分割室４７とノズル延長室５９とを区画する壁部６４ｂと、からなる逆Ｖ字形状の区画壁６４で、ケーシング４０内をノズル延長室５９、第１液用分割室４６及び第２液用分割室４７に分割してもよい。そして、この場合には、例えば図２０（Ａ）〜（Ｄ）に示すように、ノズル延長室５９の部分をケーシング４０とは別体の三角柱状の合流部材６５として構成してもよい。このようにすれば、成型用の金型が複雑になることを防ぐことができ、金型による成型を容易にすることができる。すなわち、図１９（Ａ），（Ｂ）に示すようにノズル延長室５９の部分がケーシング４０と一体形成された構造では、図２１（Ａ）に示すように、３つの透孔６２，６３ａ，６３ｂを形成するために先端部が複雑に形成された金型を吐出口から抜き取る必要がある。これに対し、図２０（Ａ）〜（Ｄ）に示すようにノズル延長室５９の部分を別体の合流部材６５として構成すれば、図２１（Ｂ）に示すように金型を分けることができ、吐出口から抜き取る金型を短くするとともに先端部を単純な形状にすることができる。加えて、合流部材６５を別体とした構成によれば、ノズル延長室５９の部分の流路が万が一詰まった場合にも、合流部材６５を取り替えることで再度使用することができる。
【００４１】
（５）上記実施形態では、横方向（水平方向）へ延びるノズル４１内の流路において分割流路を形成した構成を例示したが、これに限定されるものではなく、例えば上方（鉛直方向）へ延びる流路において分割流路を形成してもよい。図２２（Ａ），（Ｂ）及び図２３（Ａ）〜（Ｃ）に示す第６変形例の吐出ヘッド７０は、上記実施形態の吐出ヘッドＢ３に相当するものであり、直方体箱状のケーシング本体７１と、ケーシング本体７１の上面開口を覆う蓋７２と、蓋７２の上面に立設され上方へ延びるノズル７３と、を備えている。ケーシング本体７１の下面左右には、上記実施形態と同様、一対の第１ステム嵌着筒４２及び第２ステム嵌着筒４３がそれぞれ垂設されている。また、ケーシング本体７１の内部には、ケーシング本体７１内を第１液用分割室４６と第２液用分割室４７とに分割する区画壁７４が設けられている。この区画壁７４は、ケーシング本体７１内においてノズル７３と連通する中央部を３層に分割する２つの区画壁部７５ａ，７５ｂと、区画壁部７５ａ，７５ｂのそれぞれにおける第２ステム嵌着筒４３側の端部同士を連結する連結壁７６ａと、区画壁部７５ａ，７５ｂのそれぞれにおける第１ステム嵌着筒４２側の端部とケーシング本体７１の側壁とをそれぞれ連結する２つの連結壁７６ｂ，７６ｃと、を有する。つまり、区画壁７４により、ノズル７３と連通するケーシング本体７１中央部が、前後に３層に区分されている。このため、ケーシング本体７１内の第１液及び第２液は、上記実施形態と同様、第１液が第２液に挟まれた３層構造でノズル７３へ流れる。なお、ノズル７３内の少なくとも基端部には、２つの区画壁部７５ａ，７５ｂを上方へ延長した形状の仕切板を形成してもよい。また、ノズル７３の上部に、液の流れる方向を水平方向に曲げるための吐出口付きの部材を連結してもよい。
【００４２】
（６）また、例えば図２４（Ａ），（Ｂ）に示す第７変形例の吐出ヘッド７０のように、ケーシング本体７１と蓋７２とを、ヒンジ７７を介して一体に形成してもよい。なお、第７変形例は、ヒンジ７７を有する点で第６変形例と相違するが、その他の構成は第６変形例と同じである。
【００４３】
（７）また、例えば図２５（Ａ），（Ｂ）及び図２６（Ａ）〜（Ｄ）に示す第８変形例の吐出ヘッドのように、第１ステム嵌着筒４２及び第２ステム嵌着筒４３を、ケーシング本体７１の下面ではなく側面に形成してもよい。なお、第８変形例は、第１ステム嵌着筒４２及び第２ステム嵌着筒４３の位置が第６変形例と相違するが、その他の構成は第６変形例と同じである。
【００４４】
（８）上記実施形態では、吐出具Ｂが、容器固定枠Ｂ１と、容器固定筒Ｂ２と、吐出ヘッドＢ３と、押圧操作部Ｂ４と、を備えているが、これらの部品の少なくとも一部を一体で形成して部品点数を減らしてもよく、逆に、より多い部品で構成してもよい。
【００４５】
（９）上記実施形態では、液を収容するための収容部としてエアゾール缶を用いた構成を例示したが、これに限定されるものではない。例えば、シリンダとピストンとを備えたポンプ機構を内蔵したものであってもよい。この場合にも、ステムの押し下げにより液が吐出し、押し下げを解除すると上方付勢力によりステムが上昇して液の吐出が停止する構成にすることが可能である。また、ステムの押し下げに限らず、例えばステムを傾けて液を吐出させる構成など、他の操作により液が吐出される構成としてもよい。また、ステムを備えない構成としてもよく、吐出操作の方法も特に限定されない。
【００４６】
（１０）吐出用容器から吐出される剤の形態としては、例えば、泡状（フォーム状）に吐出される形態のものや、粘性液状（例えばクリーム状）に吐出される形態のものなどを用いることができる。こうした吐出形態は、各吐出用容器内の公知の起泡構造や収容液自体の物性などにより実現される。なお、液の保形性が高いほど、吐出液の断面パターンが視認されやすくなるが、泡状に吐出される場合のように、断面パターンが視認されにくい（視認できない）状態で吐出される場合であっても、吐出される前に積層状態で合流している点では同じであり、同様の効果が得られる。
【００４７】
（１１）上記実施形態では、２つの外層及びそれらの間に挟まれた１つの内層からなる３層の積層状態で液を合流させる構成を例示したが、これに限定されるものではなく、４層以上の積層状態で液を合流させるようにしてもよい。具体的には、上記実施形態では、２つの仕切板４８ａ，４８ｂにより３つの分割流路を形成したが、このような仕切板を３つにすることで４つの分割流路を形成することができ、また、仕切板を４つにすることで５つの分割流路を形成することができる。例えば、上記実施形態のように第１液及び第２液を合流させる場合に、第２液と第１液とを交互に積層した５層の積層状態で液を合流させてもよい。つまり、２つの外層と、これら２つの外層の間に挟まれた３つの内層のうち真ん中の１つの内層と、を第２液で構成し、残りの内層を第１液で構成する。ただし、上記実施形態のように３層にすると、第１液が積層状態において最も内側に配置され、第２液の外層の厚みを増やすことができるため、第１液が最も露出しにくい積層状態となり、第１液を露出しにくくする効果を高くすることができる。
【００４８】
（１２）上記実施形態では、第１液及び第２液を合流させて吐出する二液吐出器を例示したが、これに限定されるものではなく、３つ以上の収容部に収容された３種類以上の液を合流させて吐出する構成としてもよい。例えば、３剤式の染毛剤を吐出するために用いることができる。この場合にも、第１剤が積層状態において外層とならないように合流させることで、同様の効果が得られる。例えば、皮膚への刺激や刺激臭が強く、染料を含む第１液（第１剤）を、皮膚への刺激や刺激臭が弱く、染料を含まない第２液（第２剤）及び第３液（第３剤）で挟んだ３層の積層状態や、第１液及び第３液を第２液で挟んだ４層の積層状態や、第１液及び第２液を第３液で挟んだ４層の積層状態などとすることができる。
【００４９】
（１３）上記実施形態では、２つの収容部を２つのエアゾール缶を用いて構成しているが、これに限定されるものではなく、例えば、１つのエアゾール缶に複数のパウチ（内袋）が収容され、各パウチに液を収容した構成としてよい。
【００５０】
（１４）上記実施形態では染毛剤を例示したが、脱色剤や脱染剤としてもよい。脱色剤や脱染剤は染料を含まないが、それ以外は染毛剤の場合と同様の効果が得られる。
【符号の説明】
【００５１】
１…二液吐出器、１０…胴部、１１…ステム、４０…ケーシング、４０ａ…周壁、４０ｂ…頂壁、４０ｃ…底壁、４１…ノズル、４２…第１ステム嵌着筒、４３…第２ステム嵌着筒、４４…連結ヒンジ、４５，４５ａ，４５ｂ，５７，６０，６４…区画壁、４６…第１液用分割室、４７…第２液用分割室、４８ａ，４８ｂ，６１ａ，６１ｂ…仕切板、４９，５０ａ，５０ｂ，６２，６３ａ，６３ｂ…透孔、５２ａ…下部縦壁、５２ｂ…中央部縦壁、５２ｃ…上部縦壁、５３ａ…第１横壁、５３ｂ…第２横壁、５５…第１液供給室、５６ａ，５６ｂ…第２液供給室、５９…ノズル延長室、６５…合流部材、Ａ…吐出用容器、Ａ１…第１吐出用容器、Ａ２…第２吐出用容器、Ｂ…吐出具、Ｂ１…容器固定枠、Ｂ２…容器固定筒、Ｂ３…吐出ヘッド、Ｂ４…押圧操作部、Ｌ１…第１液層、Ｌ２…第２液層
【図１】
0006001279.tif 000002
【図２】
0006001279.tif 000003
【図３】
0006001279.tif 000004
【図４】
0006001279.tif 000005
【図５】
0006001279.tif 000006
【図６】
0006001279.tif 000007
【図７】
0006001279.tif 000008
【図８】
0006001279.tif 000009
【図９】
0006001279.tif 000010
【図１０】
0006001279.tif 000011
【図１１】
0006001279.tif 000012
【図１２】
0006001279.tif 000013
【図１３】
0006001279.tif 000014
【図１４】
0006001279.tif 000015
【図１５】
0006001279.tif 000016
【図２１】
0006001279.tif 000017
【図１６】
0006001279.tif 000018
【図１７】
0006001279.tif 000019
【図１８】
0006001279.tif 000020
【図１９】
0006001279.tif 000021
【図２０】
0006001279.tif 000022
【図２２】
0006001279.tif 000023
【図２３】
0006001279.tif 000024
【図２４】
0006001279.tif 000025
【図２５】
0006001279.tif 000026
【図２６】
0006001279.tif 000027